(57)【要約】      （修正有）【課題】一切溶接を行うことなく柱状構造物の頭部に補強用縦筋を取り付けられる鉄筋籠およびその取り付け方法を提供する。【解決手段】逆Ｌ字形状の吊鉄筋１０の上端側をガイド体２０で拘束し，下端側を下端側フープ筋３１等の底部側拘束体３０で拘束して鉄筋籠１を構成する。鉄筋籠１の前記ガイド体２０を，内側，外側ガイド体２２，２１から成る二重構造として内側，外側ガイド体２２，２１間の間隔δ１で，補強用縦筋８０を挟持して係止する係止機構を形成し，補強用縦筋８０の下端をフープ筋３１上に載置可能として，前記ガイド体２０と前記底部側拘束体３０とで，補強用縦筋８０を鉄筋籠１内部に立設状態に保持可能とすることで，柱状構造物５の中空空間６に取り付けた鉄筋籠１に補強用縦筋８０を保持させた状態で中空空間６にコンクリートを打設することで，補強用縦筋８０に対する一切の溶接を行うことなく，柱状構造物５に取り付け可能である。【選択図】図１
2019082103.tif 000002
【特許請求の範囲】
【請求項１】
柱状構造物の頭部と，該柱状構造物の頭部上に構築される鉄筋コンクリート構造の上部構造物との接合を行うために，前記柱状構造物の頭部に補強用縦筋を取り付ける際に使用する鉄筋籠において，
上下方向に配置される垂直部と，前記垂直部の上端より水平方向に突出する水平部を備えた複数本の逆Ｌ字形状の吊鉄筋と，
前記吊鉄筋の上端側を，前記水平部が外周方向に突出するように拘束する環状のガイド体と，
前記吊鉄筋の下端側を拘束する底部側拘束体を備え，
前記吊鉄筋の前記水平部を前記柱状構造物の開口縁に係止させて，前記柱状構造物の頭部に形成された中空空間内に吊り下げ状態に挿入可能に構成されており，
前記ガイド体に，該ガイド体の周方向における任意の位置に移動可能に前記補強用縦筋を係止する係止機構を設けると共に，
前記ガイド体に保持された前記補強用縦筋の下端を前記底部側拘束体上に載置可能に形成し，
前記ガイド体と前記底部側拘束体で，複数の前記補強用縦筋を立設状態で内部に保持可能に構成したことを特徴とする補強用縦筋取り付け用の鉄筋籠。
【請求項２】
前記ガイド体を，環状の内側ガイド体と，前記内側ガイド体の外周側に配置される，前記内側ガイド体の外周形状と相似の内周形状を有する外側ガイド体により形成し，
前記内側ガイド体の外周と前記外側ガイド体の内周間の間隔を，前記補強用縦筋を挟持可能な間隔とすることで，前記ガイド体の周方向における任意の位置で前記間隔内に前記補強用縦筋を挿入して係止できるようにしたことを特徴とする請求項１記載の補強用縦筋取り付け用の鉄筋籠。
【請求項３】
前記内側ガイド体及び／又は前記外側ガイド体を，環状に曲げた帯板によって形成したことを特徴とする請求項２記載の補強用縦筋取り付け用の鉄筋籠。
【請求項４】
前記ガイド体を，環状のガイドレールと，前記補強用縦筋を挿入可能な筒状のカプラーにより形成し，
前記カプラーを，軸線方向を上下方向として前記ガイドレール上を周方向に移動可能となるように前記ガイドレールに取り付けることで，前記ガイドレールの周方向における任意の位置で前記カプラー内に前記補強用縦筋を挿入して係止できるようにしたことを特徴とする請求項１記載の補強用縦筋取り付け用の鉄筋籠。
【請求項５】
前記補強用縦筋を，ねじ鉄筋とすると共に，
前記ガイド体を，環状の内側ガイド体と，前記内側ガイド体の外周側に配置される，前記内側ガイド体の外周形状と相似の内周形状を有する外側ガイド体により形成し，
前記内側ガイド体の外周部分及び／又は前記外側ガイド体の内周部分を軟質金属により形成し，
前記内側ガイド体の外周と前記外側ガイド体の内周間の間隔を，前記補強用縦筋であるねじ鉄筋の二面幅よりも広く，直径よりも狭く形成したことを特徴とする請求項１記載の補強用縦筋取り付け用の鉄筋籠。
【請求項６】
前記ガイド体に，該ガイド体の外周方向に突出する複数の連結鉄筋を設け，該連結鉄筋に，前記吊鉄筋の前記水平部を取り付けたことを特徴する請求項１〜５いずれか１項記載の補強用縦筋取り付け用の鉄筋籠。
【請求項７】
請求項１〜６のいずれか１項記載の鉄筋籠を，前記柱状構造物の頭部に形成された中空空間内に吊り下げ状態に挿入し，
前記鉄筋籠内に複数本の前記補強用縦筋を挿入し，前記ガイド体と前記底部側拘束体で，挿入された前記複数本の前記補強用縦筋を溶接することなく前記鉄筋籠内に立設状態に保持させ，
前記上部構造物の配筋位置の確定後，該上部構造物の配筋位置と干渉しない位置に前記鉄筋籠に保持させた前記補強用縦筋を移動させた後，前記鉄筋籠が挿入されている杭頭の中空空間内にコンクリートを打設して，前記鉄筋籠に保持させた前記補強用縦筋の下端部を，前記鉄筋籠と共に前記柱状構造物の中空空間内に打設した前記コンクリート中に埋没させることを特徴とする補強用縦筋の取り付け方法。
【発明の詳細な説明】
【技術分野】
【０００１】
本発明は，杭や柱等の柱状構造物の頭部と，これらの頭部上に構築される基礎や梁等の鉄筋コンクリート（ＲＣ）製の上部構造物を連結する際に，柱状構造物の頭部に杭頭補強筋等の補強用縦筋を取り付ける際に使用する鉄筋籠，及び，前記鉄筋籠を使用した補強用縦筋の取り付け方法に関する。
【背景技術】
【０００２】
家屋，集合住宅，その他の構造物の基礎工法において，支持層等に達する杭を設け，この杭の頭部上に基礎を形成する杭基礎工法が，例えば軟弱地盤，液状化地盤等に構造物を構築する際に広く用いられている。
【０００３】
このような杭基礎工法では，杭頭上に基礎部分を形成すると共に，杭の頭部と基礎部分とを一体化するために，杭頭と基礎の底版部であるフーチングとを連結する作業が行われる。
【０００４】
この杭頭と基礎部分との連結は，杭頭部に，上方に向かって垂直に延びる補強用縦筋（杭頭補強筋）を取り付け，杭頭部をこの杭頭補強筋と共に基礎のフーチング内に所定深さ埋め込むことにより行われる。
【０００５】
このような杭頭補強筋の取り付けは，杭頭部の外周に杭頭補強筋の下端部を溶接して取り付ける外付け方式と，杭頭補強筋の下端部を杭頭部の中空空間内に打設されるコンクリート内に埋没させて取り付ける中詰め方式がある。
【０００６】
このうちの外付け方式は，杭頭部の外周に杭頭補強筋の下端部を溶接して取り付けるものであることから，適用対象が鋼管杭や外殻鋼管付コンクリート杭に限定される。
【０００７】
また，現場作業での溶接を必須とするが，近年の人手不足により熟練溶接工の確保が困難であること，溶接工の技量差に伴う強度不足の発生を防止するためには，各溶接個所を超音波検査等によって検査する必要がある等，工期を長期化させる原因となる。
【０００８】
一方，前述の中詰め方式は，一般に図１０に示すように周方向に一定の間隔を置いて並べた異形鉄筋等からなる縦筋１１０と，前記縦筋１１０を拘束するスパイラルフープ１６０とを工場等で予め溶接して形成された鉄筋籠１００を杭１０５頭部の中空空間１０６内に挿入した後，この中空空間１０６内にコンクリートを打設することで，杭頭部より上向きに突出した縦筋１１０を杭頭部と共に基礎フーチング内に埋め込む杭頭補強筋とするもので（特許文献１及び２参照），この中詰め方式では，予め工場等で溶接しておいた鉄筋籠１００を使用することで建設現場での溶接作業や溶接部分の検査が不要となる。
【０００９】
その一方で，杭頭部に取り付ける杭頭補強筋（縦筋１１０）は，基礎フーチング内の配筋（横筋）と干渉しないように取り付ける必要があるところ，前述した外付け方式では現場において杭頭補強筋の取り付けを行うことから墨出しによって基礎フーチング側の配筋が決まった後にこれと干渉しない位置に杭頭補強筋を取り付けることが容易である。
【００１０】
これに対し，図１０を参照して説明した鉄筋籠１００を使用した中詰め方式によって杭頭補強筋の取り付けを行う場合，墨出し等によって縦筋１１０の一部が基礎フーチング内の配筋と干渉することが判明した場合でも，縦筋１１０の一部のみを移動させて干渉を回避することができない。
【００１１】
その結果，墨出しによってこのような干渉が生じることが判明した場合には，例えば基礎フーチング側の配筋を鉄筋籠１００の縦筋１１０と干渉しない位置にずらすか，又は，杭頭補強筋１１０に加熱や機械的な外力を加えて矯正する，所謂「台直し」と呼ばれる作業が必要となる。
【００１２】
しかし，基礎フーチング側の配筋を変更すれば，コンクリートの打設後に必要なかぶり厚が確保出来なくなる等の構造上の問題が発生するおそれがあり，また，前述の台直しにより杭頭補強筋１１０を矯正すると，同様にかぶり厚の確保ができない場合が生じるのみならず，加熱や変形によって矯正後の杭頭補強筋１１０の強度が低下することで，必要な強度を確保できない場合が生じ得る。
【００１３】
しかも，いずれの方法で処理を行った場合においても干渉を回避する作業が完了するまでは基礎フーチングの配筋やコンクリートの打設等の後続する作業が停滞するため，工期を圧迫することになる。
【００１４】
上記のような基礎フーチングの配筋との干渉を容易に回避することができるようにするために，本発明の発明者らは，杭頭補強筋となる縦筋の一部を可動とした鉄筋籠として，図１１に示す鉄筋籠２００を既に提案している（特許文献３参照）。
【００１５】
この図１１に示す鉄筋籠２００は，縦筋を，複数本の固定縦筋２１０と，ねじ鉄筋から成る複数本の可動縦筋２２０によって構成し，このうちの固定縦筋２１０をスパイラル筋２６０や中間フープ２３０に溶接して拘束する一方，前記可動縦筋２２０の下端を，下端側フープ２３１をガイドレールとして移動可能なスライダ２８０に設けたねじ孔２８１に螺合させ，このねじ孔２８１を貫通した可動縦筋２２０の下端部を底板２３２上に圧接することで，可動縦筋２２０をスライダ２８０の可動域内における任意の位置に取り付け可能としている。
【先行技術文献】
【特許文献】
【００１６】
【特許文献１】特開２００２−２１２９６０号公報
【特許文献２】特開平０８−３３３７４４号公報
【特許文献３】特開２０１１−１４０８１２号公報
【発明の概要】
【発明が解決しようとする課題】
【００１７】
前掲の特許文献３に記載の鉄筋籠２００では，固定縦筋２１０に対するスパイラル筋２６０や中間フープ２３０の溶接は，予め工場等で行われていると共に，可動縦筋２２０はスライダ２８０に対するネジ止めによって溶接することなく所望の位置に固定できる構成となっているため，現場での溶接作業を行うことなく杭頭部に取り付けることができるものである点は，図１０を参照して説明した既知の鉄筋籠１００と同様である。
【００１８】
しかも，杭頭補強筋となる縦筋のうち，可動縦筋２２０は取り付け位置が可変であることから，墨出し等によって基礎フーチングの配筋と可動縦筋２２０が干渉することが判明した場合であっても，可動縦筋２２０を移動させることでこのような干渉を回避することができ，基礎フーチングの配筋を変更することなく，また，可動縦筋２２０の台直し等を行うことなく前述した干渉を回避できるものとなっている。
【００１９】
しかし，上記構造の鉄筋籠２００を使用した場合であっても，縦筋のうちの固定縦筋２１０は予め溶接によってその位置が固定されていることから，固定縦筋２１０のいずれかが基礎フーチングの配筋と干渉することとなる場合，依然として基礎フーチングの配筋変更や，固定縦筋２１０の一部に対し台直し等の作業を行う必要が生じる。
【００２０】
また，縦筋のうちの固定縦筋２１０は，スパイラル筋２６０や中間フープ２３０に溶接されることによって拘束されていることから，溶接時の熱の影響で溶接部分の曲げ強度が低下しているため，曲げ方向に荷重が加わった場合，溶接部分から比較的容易に破断する。
【００２１】
そのため，このような強度低下を補うためには，太い鉄筋を使用するか，又は縦筋の本数を増やす等して対処する必要があり，その結果，杭頭補強筋の取り付け作業がより煩雑になると共に，縦筋間の間隔が狭まることで杭頭補強筋と基礎フーチング内の配筋との干渉が更に生じ易くなる。
【００２２】
しかも，一般に高強度の鉄筋は炭素当量が多く，このような炭素当量の多い鉄筋に対し溶接を行うと，溶接時の急熱，急冷によって熱影響部が硬化して割れが発生する。
【００２３】
そのため，スパイラル筋２６０や中間フープ２３０に対して溶接される固定縦筋２１０として炭素当量の多い鉄筋を採用することができず，その結果，高強度の鉄筋を使用することによる杭頭補強筋の細径化や使用本数の減少が図り難い。
【００２４】
しかも，前掲の特許文献３に記載の鉄筋籠２００では，可動縦筋２２０の固定をスライダ２８０に対する螺合と底板２３２への圧接によって行うため，可動縦筋２２０を可動とし，かつ，固定するための構造が複雑であることが，鉄筋籠２００の製造コストを高めるものとなっている。
【００２５】
なお，以上の説明では，杭の頭部と基礎フーチングを接合する場合を例に挙げて説明したが，前述した杭頭補強筋のような補強用の縦筋を取り付けて行う接合は，前述した杭頭部と基礎フーチング間を接合する場合のみならず，柱の頭部とその上に構築される梁との接合等のように，柱状の構造物の頭部と，その上に構築されるＲＣ構造の構造物との連結全般において行われ，従って前述した問題は，杭に対し杭頭補強筋を取り付ける場合のみならず，柱状構造物の頭部に補強用の縦筋を取り付ける場合全般において生じ得る問題である。
【００２６】
そこで本発明は，上記従来技術における欠点を解消するために成されたもので，比較的簡単な方法で，現場作業での溶接を必要としないだけでなく，補強用縦筋の全てに対し一切溶接を行うことなく中詰め方式による取り付けを可能とする鉄筋籠を提供することで，基礎等の上部構造物内の配筋と干渉しない補強用縦筋の取り付けを容易に行うことができると共に，補強用縦筋に溶接時の急熱と急冷に伴う強度低下が生じず，また，溶接に伴う材質の制約がなく，従って，補強用縦筋の細径化や取り付け本数の減少による過密配筋の回避を可能とすることを目的とする。
【課題を解決するための手段】
【００２７】
以下に，課題を解決するための手段を，発明を実施するための形態で使用する符号と共に記載する。この符号は，特許請求の範囲の記載と発明を実施するための形態の記載との対応を明らかにするためのものであり，言うまでもなく，本発明の技術的範囲の解釈に制限的に用いられるものではない。
【００２８】
上記目的を達成するために，本発明の鉄筋籠１は，
基礎杭等の柱状構造物５の頭部と，該柱状構造物５の頭部上に構築される基礎フーチング等の鉄筋コンクリート構造の上部構造物との接合を行うために，前記柱状構造物５の頭部に杭頭補強筋等の補強用縦筋８０を取り付ける際に使用する鉄筋籠１において，
上下方向に配置される垂直部１０ａと，前記垂直部１０ａの上端より水平方向に突出する水平部１０ｂを備えた複数本の逆Ｌ字形状の吊鉄筋１０と，
前記吊鉄筋１０の上端側を，前記水平部１０ｂが外周方向に突出するように拘束する環状のガイド体２０と，
前記吊鉄筋１０の下端側を拘束する下端側フープ筋３１や底板３２等の底部側拘束体３０を備え，
前記吊鉄筋１０の前記水平部１０ｂを前記柱状構造物５の開口縁７に係止させて，前記柱状構造物５の頭部に形成された中空空間６内に吊り下げ状態に挿入可能に構成されており，
前記ガイド体２０に，該ガイド体２０の周方向における任意の位置に移動可能に前記補強用縦筋８０を係止する係止機構を設けると共に，
前記ガイド体２０に保持された前記補強用縦筋８０の下端を前記底部側拘束体３０上に載置可能に形成し，
前記ガイド体２０と前記底部側拘束体３０で，複数の前記補強用縦筋８０を立設状態で内部に保持可能に構成したことを特徴とする（請求項１）。
【００２９】
前記ガイド体２０を，環状の内側ガイド体２２と，前記内側ガイド体２２の外周側に配置される，前記内側ガイド体２２の外周形状と相似の内周形状を有する外側ガイド体２１により形成し，
前記内側ガイド体２２の外周と前記外側ガイド体２１の内周間の間隔δ１を，前記補強用縦筋８０を挟持可能な間隔とすることで，前記ガイド体２０の周方向における任意の位置で前記間隔δ１内に前記補強用縦筋８０を挿入して係止できるようにするものとしても良い（請求項２，図１〜４参照）。
【００３０】
この場合，前記内側ガイド体２２及び／又は前記外側ガイド体２１を，環状に曲げた帯板によって形成するものとしても良い（請求項３，内側ガイド体を帯板によって形成した例として図１〜４参照）。
【００３１】
また，前記ガイド体２０を，環状のガイドレール２４と，前記補強用縦筋８０を挿入可能な筒状のカプラー２５により形成し，
前記カプラー２５を，軸線方向を上下方向として前記ガイドレール２４上を周方向に移動可能となるように前記ガイドレール２４に取り付けることで，前記ガイドレール２４の周方向における任意の位置で前記カプラー２５内に前記補強用縦筋８０を挿入して係止できるようにするものとしても良い（請求項４，図５及び図６参照）。
【００３２】
更に，前記補強用縦筋８０を，ねじ鉄筋とすると共に，
前記ガイド体２０を，環状の内側ガイド体２２と，前記内側ガイド体２２の外周側に配置される，前記内側ガイド体２２の外周形状と相似の内周形状を有する外側ガイド体２１により形成し，
前記内側ガイド体２２の外周部分及び／又は前記外側ガイド体２１の内周部分（図示の例では内側ガイド体２２の外周部分）を，アルミニウムや銅，その合金等から成る軟質金属２２ｃにより形成し，
前記内側ガイド体２２の外周と前記外側ガイド体２１の内周間の間隔δ１を，前記補強用縦筋８０であるねじ鉄筋の二面幅（スパナのアゴを掛ける面間の幅）Ｗよりも広く，直径Ｄよりも狭く形成して前記係止機構とするものとしても良い（請求項５，図５，図６参照）。
【００３３】
更に，前記ガイド体２０に，該ガイド体２０の外周方向に突出する複数の連結鉄筋２３を設け，該連結鉄筋２３に，前記吊鉄筋１０の前記水平部１０ｂを取り付けるものとしても良い（請求項６，図１〜３参照）。
【００３４】
また，本発明の補強用縦筋８０の取り付け方法は，
前述したいずれかの鉄筋籠１を，前記柱状構造物５の頭部に形成された中空空間６内に吊り下げ状態に挿入し，
前記鉄筋籠１内に複数本の前記補強用縦筋８０を挿入し，前記ガイド体２０と前記底部側拘束体３０で，挿入された前記複数本の前記補強用縦筋８０を溶接することなく前記鉄筋籠内に立設状態に保持させ，
前記上部構造物の配筋位置の確定後，該上部構造物の配筋位置と干渉しない位置に前記鉄筋籠１に保持させた前記補強用縦筋８０を移動させた後，前記鉄筋籠１が挿入されている杭頭の中空空間６内にコンクリートを打設して，前記鉄筋籠に保持させた前記補強用縦筋８０の下端部を，前記鉄筋籠１と共に前記柱状構造物５の中空空間内に打設された前記コンクリート中に埋没させることを特徴とする（請求項７，図９参照）。
【発明の効果】
【００３５】
以上で説明した構成を備えた本発明の鉄筋籠１を使用して補強用縦筋８０の取り付けを行うことで，以下の顕著な効果を得ることができた。
【００３６】
本発明の鉄筋籠１は，吊鉄筋１０と，吊鉄筋１０の上端側を拘束するガイド体２０と，前記吊鉄筋１０の下端側を拘束する底部側拘束体３０を備え，前記ガイド体２０に，周方向における任意の位置に移動可能に補強用縦筋８０を係止する係止機構を設けると共に，前記ガイド体２０に係止した前記補強用縦筋８０の下端を，前記底部側拘束体３０上に載置可能として，ガイド体２０と底部側拘束体３０で，複数の補強用縦筋８０を立設状態で内部に保持可能に構成したことで，溶接等を行うことなく鉄筋籠１内に挿入するだけで，補強用縦筋８０を鉄筋籠１内に保持させることが可能である。
【００３７】
その結果，柱状構造物５の頭部に設けた中空空間６内に挿入した鉄筋籠１に，補強用縦筋８０を保持させた状態で中空空間６内にコンクリートを打設して鉄筋籠１と共に補強用縦筋８０の下端部を打設したコンクリート内に埋没させることで，柱状構造物５の頭部に補強用縦筋８０を比較的簡単に取り付けることができた。
【００３８】
しかもこの補強用縦筋８０は，コンクリートの打設前であればガイド体２０の周方向に移動させることができるため，基礎フーチング等の上部構造物の配筋が特定されてこれと干渉することが判明した場合，コンクリート打設前に干渉する補強用縦筋８０をガイド体２０の周方向に移動させることで，両配筋の干渉を容易に回避することができた。
【００３９】
また，全ての補強用縦筋８０に対し一切溶接を行わないことから，溶接時の熱の影響によって補強用縦筋８０の強度が低下することがなく，また，溶接を必要としないため炭素当量が多く高硬度の鉄筋を補強用縦筋８０として使用することが可能である。
【００４０】
その結果，補強用縦筋８０の細径化や，補強用縦筋８０の取り付け本数を減らした場合であっても必要な強度を確保することができ，補強用縦筋８０同士の間隔をより広く取ることで過密配筋を回避することができ，基礎フーチング等の上部構造物内の配筋との干渉が更に生じ難くなると共に，補強用縦筋の取り付け作業がより容易になることで工期の短縮を図ることができた。
【００４１】
前記ガイド体２０を，内側ガイド体２２と外側ガイド体２１により形成し，内側ガイド体２２の外周と前記外側ガイド体２１の内周間に補強用縦筋８０を挟持させることで係止可能とした構成では，ガイド体２０の周方向における任意の位置で内側ガイド体２２と外側ガイド体２１間の間隔δ１内に補強用縦筋８０を挿入するだけで，補強用縦筋８０を任意位置に保持させることが可能であると共に，必要に応じて間隔δ１に沿って補強用縦筋８０を移動させることができた。
【００４２】
このようにガイド体２０を内側ガイド体２２と外側ガイド体２１によって構成する場合，そのうちの一方，又は双方を，環状に曲げた帯板によって形成することで，内側ガイド体２２及び／又は外側ガイド体２１にバネとしての性質を与えることができ，補強用縦筋８０を内側ガイド体２２と外側ガイド体２１間の間隔δ１により好適に保持させることができた。
【００４３】
また，前記ガイド体２０を，環状のガイドレール２４とカプラー２５により形成した例では，カプラー２５をガイドレール２４上の適宜の位置に移動させた後，カプラー２５内に補強用縦筋８０を挿入することにより，又は補強用縦筋８０を挿入したカプラー２５をガイドレール２４上の適宜に位置に移動させることにより，ガイド体２０の周方向における適宜の位置に補強用縦筋８０を移動可能に係止することができた。
【００４４】
更に，前記補強用縦筋８０を，ねじ鉄筋とすると共に，前記ガイド体２０を，環状の内側ガイド体２２と，前記内側ガイド体２２の外周側に配置される，前記内側ガイド体２２の外周形状と相似の内周形状を有する外側ガイド体２１により形成し，前記内側ガイド体２２の外周部分及び／又は前記外側ガイド体２１の内周部分を，アルミニウムや銅，その合金等から成る軟質金属２２ｃにより形成して補強用縦筋８０の係止機構とした構成では，前記内側ガイド体２２の外周と前記外側ガイド体２１の内周間の間隔δ１を，前記補強用縦筋８０であるねじ鉄筋の二面幅Ｗよりも広く形成することで，図６（Ａ），（Ｃ）に示すように補強用縦筋８０であるねじ鉄筋の平面８１，８２（スパナのアゴを掛ける面）が外側ガイド体２１及び内側ガイド体２２と対向するように前記間隔δ１にねじ鉄筋を挿入することで，ねじ鉄筋をガイド体２０（２１，２２）の周方向の任意の位置に移動させることができると共に，ガイド体２０(２１，２２)間の間隔δ１を，補強用縦筋８０（ねじ鉄筋）の直径Ｄよりも狭く形成したことで，図６（Ｂ），（Ｄ）に示すように適宜任意の位置でねじ鉄筋を９０°回転させてねじ鉄筋に形成されたねじ節（ねじ山）を，ガイド体２０（図示の例では内側ガイド体２２）に設けた軟質金属２２ｃに食い込ませることで，補強用縦筋８０（ねじ鉄筋）を周方向の任意の位置で外側，内側ガイド体２１，２２間に固定することができた。
【００４５】
前記ガイド体２０に，該ガイド体２０の外周方向に突出する複数の連結鉄筋２３を設け，該連結鉄筋２３に，前記吊鉄筋１０の前記水平部１０ｂを溶着等して取り付けるようにした構成では，複数種類のガイド体２０をその他の部分とは別個に製造し，吊鉄筋１０を底部側拘束体３０やフープ筋４０等で拘束して形成した鉄筋籠の本体部分に取り付けることで，ガイド体２０の種類の選択により取り付ける補強用縦筋８０の太さの変更等に対し容易に対応することができた。
【００４６】
更に，前記鉄筋籠１の底部を覆う底板３２を前記底部側拘束体３０とした構成では，鉄筋籠１に底板３２を設ける場合，底板３２とは別に底部側拘束体３０となる下端側フープ筋３１やアングル材３３の取り付けを省略することができた。
【図面の簡単な説明】
【００４７】
【図１】杭に挿入した状態の本発明の鉄筋籠の（Ａ）は平面図，（Ｂ）は（Ａ）のＢ−Ｂ線断面図。
【図２】杭に挿入した状態の本発明の別の鉄筋籠の（Ａ）は平面図，（Ｂ）は（Ａ）のＢ−Ｂ線断面図。
【図３】杭に挿入した状態の本発明の更に別の鉄筋籠の（Ａ）は平面図，（Ｂ）は（Ａ）のＢ−Ｂ線断面図。
【図４】ガイド体の変型例を示す本発明の鉄筋籠の（Ａ）は平面図，（Ｂ）は（Ａ）のＢ−Ｂ線要部断面図。
【図５】ガイド体の変型例を示す本発明の鉄筋籠の（Ａ）は平面図，（Ｂ）は（Ａ）のＢ−Ｂ線要部断面図。
【図６】（Ａ），（Ｂ）は図５（Ａ）中，〇で囲った部分の拡大説明図，（Ｃ），（Ｄ）は図５（Ｂ）中，〇で囲った部分の拡大説明図。
【図７】ガイド体の別の変型例を示す本発明の鉄筋籠の（Ａ）は平面図，（Ｂ）は（Ａ）のＢ−Ｂ線要部断面図，（Ｃ）は（Ａ）のＣ―Ｃ線拡大断面図。
【図８】ガイド体の更に別の変型例を示す，（Ａ）は斜視図，（Ｂ）はガイドレールに対する連結鉄筋の取り付け方法の説明図，（Ｃ）〜（Ｅ）は（Ａ）に変形例として示した連結鉄筋のそれぞれ側面分解図，正面図，平面図。
【図９】本発明の鉄筋籠を使用した杭頭補強筋の取り付け方法の説明図であり，（Ａ）はずれ止め溶接が完了した状態，（Ｂ）は杭頭に対し鉄筋籠を挿入している状態，（Ｃ）は杭頭に対し鉄筋籠の挿入が完了した状態，（Ｄ）は鉄筋籠に対し杭頭補強筋（補強用縦筋）を取り付けている状態，（Ｅ）は杭頭補強筋（補強用縦筋）と基礎フーチングの配筋との干渉を回避するための移動状態，（Ｆ）はコンクリートの打設により固定した状態をそれぞれ示す。
【図１０】従来の中詰め法による杭頭補強筋の取り付け方法の説明図（特許文献１，２に対応）。
【図１１】従来の中詰め法による杭頭補強筋の取り付け方法の説明図（特許文献３に対応）。
【発明を実施するための形態】
【００４８】
次に，本発明の実施形態につき添付図面を参照しながら以下説明する。
【００４９】
なお，以下の説明において，本発明の鉄筋籠１を使用した補強用縦筋８０の取り付けを，基礎杭の頭部に対して補強用縦筋（杭頭補強筋）８０を取り付ける場合を例に挙げて説明するが，本発明の鉄筋籠１は，この例に限定されるものではなく，建築物の柱とこの柱上に載置される鉄筋コンクリート製の梁のように，柱状構造物５の頭部と，その上部に構築され鉄筋コンクリート製の構造物との連結に対し広く適用可能である。
【００５０】
本発明の鉄筋籠１は，図１に示すように逆Ｌ字状の吊鉄筋１０の上端側を環状のガイド体２０で拘束すると共に，前記吊鉄筋１０の下端側を下端側フープ筋３１等の底部側拘束体３０で拘束して，全体として籠型に形成したもので，杭頭補強筋８０を柱状構造物５の頭部に取り付ける際に，前記吊鉄筋１０の水平部１０ｂが杭頭の開口縁７と係合するまで中空空間６内に挿入し，中空空間６内に吊り下げた状態に収容して使用される。
【００５１】
前述の吊鉄筋１０は，杭頭に対する取り付け時に垂直方向に配置される垂直部１０ａと，該垂直部１０ａの上端より水平方向に突出する水平部１０ｂを備えた逆Ｌ字状に形成されており，この吊鉄筋１０を，水平部１０ｂが外周方向に向かって突出するように吊鉄筋１０の上端部側をガイド体２０に固着して拘束すると共に，下端部を，図１（Ｂ）に示す例では下端側フープ筋３１に対し周方向に所定間隔で取り付けて拘束している。
【００５２】
なお，図１に示す実施形態では，前述の吊鉄筋１０を，１本の鉄筋を屈曲させて垂直部１０ａと水平部１０ｂを一体的に形成しているが，吊鉄筋１０は，図５に示すように垂直部１０ａを成す直線状の鉄筋と，水平部１０ｂを成すＬ字型の鉄筋をそれぞれ別個に形成し，これらを溶着等の方法で連結して構成しても良く，また，垂直部１０ａと水平部１０ｂは必ずしも直接，連結されている必要はなく，他部材〔例えばガイド体２０，図５（Ａ）に示す例ではガイド体２０の連結鉄筋２３〕を介して連結したものであっても良い。
【００５３】
図１に示す実施形態では，鉄筋籠１内の所定の位置に杭頭補強筋８０を挿入した際に，杭頭補強筋８０の下端部をこの下端側フープ筋３１上に載置することができるように構成しており，従って，図１に示す実施形態では，この下端側フープ筋３１が，吊鉄筋１０の下端側を拘束すると共に杭頭補強筋８０の下端部を載置する，前述の底部側拘束体３０を兼ねる。
【００５４】
なお，図１に記載した例では，杭頭補強筋８０の下端部を環状に曲げた鉄筋である下端側フープ筋３１上に載置する例を示したが，この構成に代え，図５（Ｂ）に示すように環状板から成る下端側フープ板３１’を設け，この下端側フープ板３１’上に杭頭補強筋８０の下端を載置する構成としても良く，更には，杭頭補強筋８０の下端を，底板３２上に載置する構成としても良く，杭頭補強筋８０の下端を載置する構成は図示の構成に限定されない。
【００５５】
前述のガイド体２０は，吊鉄筋１０の上端側を，前記水平部１０ｂが外周方向に突出するように拘束するもので，全体として環状に形成されていると共に，このガイド体２０の周方向における任意の位置に移動可能に前記補強用縦筋８０を係止する係止機構を備える。
【００５６】
図１に示した実施形態において前述のガイド体２０は，環状の内側ガイド体２２と，前記内側ガイド体２２の外周側に配置される，前記内側ガイド体２２の外周形状と相似の内周形状を有する外側ガイド体２１，及び，前記外側ガイド体２１と内側ガイド体２２を連結すると共に，吊鉄筋１０の水平部１０ｂを取り付ける連結鉄筋２３によって構成されている。
【００５７】
図１（Ａ）に示す実施形態では，この連結鉄筋２３を平面視十字状の鉄筋により形成し，外側ガイド２１と内側ガイド２２を，前記連結鉄筋２３の交点２３ａを中心とする同心円状に配置すると共に連結鉄筋２３に溶着し，この連結鉄筋２３のうち，外側ガイド体２１の外周方向に突出した部分を吊鉄筋１０の水平部１０ｂに溶着することで，吊鉄筋１０の上端側を，ガイド体２０上に周方向の所定間隔，図示の実施形態では９０°毎の通間隔に取り付けている。
【００５８】
もっとも，ガイド体２０の構造や吊鉄筋１０の配置は図１（Ａ）に示した構成に限定されず，例えば図５（Ａ）に示すようにガイド体２０にＹ字状の連結鉄筋２３を設け，この連結鉄筋２３の各先端部に吊鉄筋１０を溶着する等して，吊鉄筋１０を１２０°毎の等間隔で３本設けるものとしても良く，更には５本以上の吊鉄筋１０を設ける構成としても良く，鉄筋籠のサイズ等に応じてガイド体２０に設ける連結鉄筋２３の形状や，使用する吊鉄筋１０の本数は適宜変更可能である。
【００５９】
図１に示した例では，内側ガイド体２２を環状に曲げ加工した帯鋼板，外側ガイド体２１を環状に曲げ加工した鉄筋によって構成する例を示しているが，内側ガイド体２２及び外側ガイド体２１のいずれ共に環状に曲げ加工した帯鋼板，又は環状に曲げ加工した鉄筋によって構成するものとしても良く，また，図示の例とは逆に外側ガイド体２１を環状の帯鋼板，内側ガイド体を環状の鉄筋によって構成するものとしても良い。
【００６０】
前述したように，ガイド体２０の周方向における任意の位置に移動可能に前記補強用縦筋８０を係止する係止機構として，図１に示すガイド体２０は，内側ガイド体２２の外周と，外側ガイド体２１の内周間に形成された間隔δ１を，係止する杭頭補強筋８０の外径と略同一幅，好ましくは杭頭補強筋の外径に対し僅かに狭い間隔に形成する等して，該間隔δ１内に杭頭補強筋８０を挿入した際に内側ガイド体２２及び／又は外側ガイド体２１が僅かに変形して杭頭補強筋８０を挟持することにより係止できるように構成すると共に，間隔δ１に沿って，係止位置を移動させることができるように構成している。
【００６１】
この場合，前述したように外側，内側ガイド体２１，２２の一方又は双方を帯板によって形成する場合には，該間隔δ１内に杭頭補強筋８０を挿入した際に内側ガイド体２２及び／又は外側ガイド体２１のうち帯板によって形成された側を板バネのように弾性変形させることができ，これにより杭頭補強筋８０をより確実に挟持させて周方向の任意の位置に係止することができるようにしても良い。
【００６２】
また，杭頭補強筋８０を係止する係止機構としては，図５及び図６に示すように，杭頭補強筋８０をねじ鉄筋により形成すると共に，外側ガイド体２１の内周部分，及び／又は内側ガイド体２２の外周部分をアルミニウムや銅，これらの合金等から成る軟質金属２２ｃにより形成すると共に，外側，内側ガイド体２１，２２間の間隔δ１を，このねじ鉄筋にスパナのアゴを掛ける面として設けられている二面８１，８２間の幅Ｗよりも広いが，直径Ｄよりも狭く形成する構成を採用することもできる。
【００６３】
このように構成することで，図６（Ａ），（Ｃ）に示すように，杭頭補強筋８０を，その二面８１，８２が内側ガイド体２２及び外側ガイド体２１側を向くように間隔δ１内に挿入することで，杭頭補強筋８０をガイド体２０の周方向の適宜任意の位置に移動させることが可能である一方，杭頭補強筋８０を固定したい位置で杭頭補強筋８０を９０°回転させると，ねじ鉄筋である杭頭補強筋８０に設けられたねじ節（ねじ山）が，外側ガイド体２１の内周及び／又は内側ガイド体２２の外周部分を構成する軟質金属２２ｃに食い込むことで，該位置に杭頭補強筋８０を固定することができる。
【００６４】
図５及び図６に示した実施形態では，内側ガイド体２２の外周部分を前述した軟質金属２２ｃとする構成を採用しており，図示の例では，２つのフープ筋２２ａ，２２ｂを，上下に所定間隔を開けて上下二段に溶着すると共に，このフープ筋２２ａ，２２ｂの外周側に，フープ筋２２ａ，２２ｂ間の間隔に嵌合するようにアルミニウム製の棒材を取り付けて内側ガイド体２２を形成することで，内側ガイド体２２の外周部分が軟質金属２２ｃによって構成されるようにした。
【００６５】
なお，図１を参照して説明した実施形態では，ガイド体２０に設けた連結鉄筋２３に対し吊鉄筋１０の水平部１０ｂを取り付けることでガイド体２０に対する吊鉄筋１０の取り付けを行っているが，この構成に代え，例えば図４に示すように，環状に曲げた帯板によって形成した内側ガイド体２２の外周又は内周（図４では外周）に吊鉄筋１０の垂直部１０ａの上端部分を溶着等の方法で取り付けると共に，吊鉄筋１０の水平部１０ｂ上に環状の鉄筋によって構成された外側ガイド体２１を載置して溶着する等しても良く，この構成では前述した連結鉄筋２３を設けることなくガイド体２０を構成することができる。
【００６６】
更に，前述のガイド体２０の構成としては，図７に示すように環状のガイドレール２４と，このガイドレール２４上を周方向に移動する円筒状のカプラー２５により構成するものとしても良く，カプラー２５の開口部２６を，杭頭補強筋８０を挿入可能なサイズに形成することで，カプラー２５に対し杭頭補強筋８０を挿入することで，杭頭補強筋８０をガイド体２０の周方向における所定の位置に取り付ける前述した係止機構が形成されている。
【００６７】
このカプラー２５の開口部２６は，図７（Ｃ）に示したようにカプラー２５の軸線方向に対して直交方向の切り口を有するものとしても良いが，図７（Ｃ）中に一点鎖線で示すように，杭頭補強筋８０の挿入を容易とすべく，斜め方向の切り口を有するものとして形成しても良い。
【００６８】
図示の実施形態にあっては前述のガイドレール２４として，環状に曲げ加工した帯鋼板により形成したものを使用すると共に，前記カプラー２５の長手方向両端に，ガイドレール２４の幅方向のそれぞれの端部に係止される係止爪２５ａ，２５ｂを設け，ガイドレール２４上を移動できるように，カプラー２５をガイドレール２４に取り付けている。
【００６９】
なお，図７を参照して説明した実施形態では，吊鉄筋１０の垂直部１０ａの上端部分をガイドレール２４の内周に溶着すると共に，カプラー２５をガイドレール２４の外周側に取り付ける例を示したが，これとは逆に，吊鉄筋１０の垂直部１０ａをガイドレールの外周に取り付けると共に，カプラー２５をガイドレール２４の内周側に取り付けるものとしても良く，更には，ガイドレール２４に対する吊鉄筋１０の取り付けとカプラー２５の取り付けをいずれもガイドレール２４の同一側に対して行うものとしても良く，更には，カプラー２５をガイドレールの内周側と外周側の双方に取り付けるものとしても良く，図示の構成に限定されない。
【００７０】
また，図７を参照して説明した実施形態では，ガイドレール２４に対し直接，吊鉄筋１０垂直部１０ａを溶着する構成を示したが，図８に示すように，ガイドレール２４に，吊鉄筋１０の水平部１０ｂを取り付けるための連結鉄筋２３を設け，この連結鉄筋２３を吊鉄筋１０の水平部１０ｂに固着するものとしても良い。
【００７１】
図８（Ａ）に示した例では，逆Ｌ字状に曲げた鉄筋をガイドレール２４に取り付けて連結鉄筋２３としているが，鉄筋籠１が大型化する場合等，杭頭部に対する取り付け時に連結鉄筋２３にかかる荷重が大きくなる場合等には，図８（Ａ）中に「変更例」として示したように，Ｕ字状に折り曲げた鉄筋を所定の位置を折り曲げること，ガイドレール２４に取り付けられる垂直部分と，外周方向に突出する水平部分がいずれも２本ずつの鉄筋によって構成された連結鉄筋２３’を使用するものとしても良い。
【００７２】
連結鉄筋２３は，その垂直部分をガイドレール２４に対し溶接等の方法で取り付けることができ，この場合，連結鉄筋２３の垂直部分を，直接，ガイドレール２４に溶着するものとしても良いが，前述した係止爪２５ａ，２５ｂによってガイドレール２４に係止されるカプラー２５を使用する場合，図８（Ｂ）に示すようにカプラー２５の係止爪２５ａ，２５ｂの間隔に収まる取付台２４’を介して取り付けることにより，カプラー２５の係止爪２５ａ，２５ｂと連結鉄筋２３とが干渉しなくなることでカプラー２５の可動範囲を広げることができる。
【００７３】
また，変形例として示した符号２３’の連結鉄筋では，垂直部分に二本のアングル材２７，２７を架設すると共に，矩形板２８ａの上下端よりそれぞれ係止棒２８ｂ，２８ｃを突設させたアタッチメント２８を設け，上下のアングル材２７，２７間にガイドレール２４を配置した状態で，上側のアングル材２７に設けた挿入孔２７ａ，２７ａにアタッチメント２８に設けた上側の係止棒２８ｂ，２８ｂを挿入した後，下側のアングル材２７に設けた挿入孔（図示せず）内に，アタッチメント２８に設けた下側の係止棒２８ｃ，２８ｃを挿入し，その後，アタッチメント２８の矩形板２８ａに設けたボルト孔（図示せず）にボルト２９を螺合してボルト２９の先端でガイドレール２４の側面を押圧することで，ガイドレール２４の所定の位置に連結鉄筋２３’を取り付けることができるように構成されている。
【００７４】
以上のように，ガイド体２０に直接，又は，ガイド体２０に設けた連結鉄筋２３，２３’に水平部１０ｂを固着する等して，上端側をガイド体２０により拘束された吊鉄筋１０は，その下端側を底部側拘束体３０によって拘束すると共に，この底部側拘束体３０上に，杭頭補強筋８０の下端を載置することができるように構成する。
【００７５】
図１に示す例では，吊鉄筋１０の下端に対し僅かに上方位置で吊鉄筋１０を外周側より拘束する下端側フープ筋３１を取り付け，この下端側フープ筋３１上に杭頭補強筋８０の下端を載置可能としているが，図１（Ｂ）に示すように吊鉄筋の下端にコンクリート打設時にコンクリートの落下を防止するための底板３２を固着した構成では，前述した下端側フープ筋３１を省略し，この底板３２上に杭頭補強筋８０の下端を載置できるように構成することで，底板３２に底部側拘束体３０の機能を持たせるものとしても良い。
【００７６】
なお，本発明の鉄筋籠１の底部は，必ずしも底板３２で覆う必要はなく，鉄筋籠１とは別に，打設されたコンクリートを受ける底板を杭頭内に取り付ける場合や，杭頭部の中空空間が有底である場合には，図２（Ｂ）に示すように吊鉄筋１０の下端に杭頭補強筋８０の下端部を載置するアングル材３３から成る底部側拘束体３０を取り付けて，鉄筋籠１の底部を開放した構造としても良い。
【００７７】
なお，本発明の鉄筋籠１は，図７（Ｂ）に示すように吊鉄筋１０の上端側をガイド体２０で，下端側を底部側拘束体３０である底板３２で拘束し，その他の補強材を備えない構成としても良いが，図１〜図３に示すように吊鉄筋１０の垂直部１０ａに，高さ方向における所定位置にフープ筋４０を取り付けて補強するものとしても良い。
【００７８】
この場合，フープ筋４０の全部又は一部を外側フープ筋４１と内側フープ筋４２から成る二重構造とし，外側フープ筋４１と内側フープ筋４２との間に杭頭補強筋８０を受け入れ可能に構成して杭頭補強筋８０をより安定的に保持することができるように構成するものとしても良い。
【００７９】
また，図１〜図３に示す例では吊鉄筋１０の垂直部１０ａをフープ筋４０によって拘束する例を示したが，このフープ筋４０による拘束に代えて，図９を参照して説明したようなスパイラル筋によって拘束するものとしても良い。
【００８０】
以上のように構成された鉄筋籠１は，図１に示すように杭頭に形成された中空空間６内に，吊鉄筋１０の水平部１０ｂが杭頭の開口縁７に係止されるまで挿入すると共に，中空空間６内に挿入された鉄筋籠１に対し杭頭補強筋８０を取り付けた状態でコンクリートを打設することにより杭頭補強筋８０を杭５の頭部より所定長さ突出させた状態で取り付けることができるように構成されている。
【００８１】
本発明の鉄筋籠１を使用した杭頭補強筋８０の取り付けは，頭部に鉄筋籠１を挿入可能な中空空間６を備えた杭５であれば既成杭，場所打ち杭のいずれに対しても適用可能であり，また，鋼管杭（図１，図２参照），コンクリート杭（図３参照），外殻鋼管付コンクリート杭（図示せず）など，いずれの杭に対しても適用可能であり，鋼管杭や外殻鋼管付コンクリート杭に対し本発明の鉄筋籠１を使用した杭頭補強筋８０の取り付けを行う場合には，従来技術として説明した外付け工法により杭頭外周に対する杭頭補強筋の取り付けを併用して行うこともできる。
【００８２】
また，本実施形態では，円柱状の柱状構造物５に対する杭頭補強筋の取り付け例を説明するが，柱の頭部に対する補強用縦筋８０の取り付けにあっては，角柱状の柱等，円柱状以外の柱状構造物に対する補強用縦筋８０の取り付けに使用することもできる。
【００８３】
この場合，取り付け対象とする柱状構造物の形状に対応し，必要に応じて鉄筋籠１についても円柱状のみならず角柱状等，対象とする柱状構造物５の形状に対応した形状に変更するものとしても良い。
【００８４】
杭頭補強筋８０の取り付け工程を，図９を参照して説明すると，杭頭補強筋の取り付け対象とする杭５が鋼管杭である場合には，杭頭内外の所定位置に，曲げ加工した鋼板をずれ止め５０として周方向に溶接する，所謂「ずれ止め溶接」を行い〔図９（Ａ）〕，また，図示は省略するが，底板を備えない鉄筋籠１を使用する場合には，必要に応じて杭頭部の中空空間６内の所定高さ位置に底板を取り付ける。
【００８５】
その後，本発明の鉄筋籠１を，底部側を下向きとして杭頭部の中空空間６内に挿入し〔図９（Ｂ）〕，吊鉄筋１０の水平部１０ｂを杭頭部の開口縁７に係止させて，鉄筋籠１を杭頭部の中空空間６内に吊り下げ状態に収容する〔図９（Ｃ）〕。
【００８６】
このようにして杭頭内に挿入された鉄筋籠１に対し，杭頭補強筋８０を取り付ける。
【００８７】
杭頭補強筋８０の取り付けは，鉄筋籠１のガイド体２０が，図１〜５に示すように外側ガイド体２１と内側ガイド体２２によって構成されたものである場合には，外側ガイド体２１と内側ガイド体２２間の間隔δ１に杭頭補強筋８０を挿入すると共に，この杭頭補強筋８０の下端を底部側拘束体３０（図１及び図３の例では下端側フープ筋３１，図２の例ではアングル材３３，図５の例では下端側フープ板３１’）上に載置すると共に，図５の例では挿入，載置後，更に杭頭補強筋８０であるねじ鉄筋を９０°回転させることにより行う。
【００８８】
また，ガイド体２０がガイドレール２４とカプラー２５によって構成されている場合（図７参照），カプラー２５をガイドレール２４上の所望の位置に移動させた後，カプラー２５内に杭頭補強筋８０を挿入すると共に，この杭頭補強筋８０の下端を底部側拘束体３０である底板３２上に載置することにより行う〔図９（Ｄ）〕。
【００８９】
このようにして鉄筋籠１に取り付けた杭頭補強筋８０は，杭頭の中空空間６内にコンクリートが打設される前の状態では未だ，固定されておらず，自由に移動させることができる状態にある。
【００９０】
従って，基礎フーチングの墨出しによって，フーチング内に配筋される横方向の鉄筋の位置が特定された際，又は，実際に基礎フーチングの配筋を行った際に，この基礎フーチング内の配筋と干渉する位置に杭頭補強筋が存在する場合には，この干渉を回避する位置に該当する杭頭補強筋８０を移動させる。
【００９１】
一例として図９（Ｅ）に示す例では，平面視において基礎フーチングの配筋と干渉するＡ位置及びＦ位置の杭頭補強筋８０を，ガイド体２０に沿って紙面時計回り方向に移動させて干渉を回避する〔図９（Ｅ）〕。
【００９２】
このようにして干渉を回避した後，杭頭部の中空空間６内にコンクリートを打設して，鉄筋籠１と共に，鉄筋籠１内に保持されている杭頭補強筋８０の下端部を打設したコンクリート内に埋没させて杭頭補強筋８０の取り付けが完了する〔図９（Ｆ）〕。
【００９３】
このようにして基礎フーチング内の配筋の見直しや，杭頭補強筋８０の台直し等の作業を行うことなく，基礎フーチング内の配筋と干渉しない杭頭補強筋８０の取り付けが可能で，作業性が大幅に向上すると共に，杭頭補強筋８０に対しては一切の溶接が行われていないことから，溶接に伴う急熱，急冷に伴う杭頭補強筋８０の曲げ強度の低下も生じない。
【００９４】
また，溶接が不要となることで，炭素当量が高く溶接に適さない高強度の鉄筋であっても杭頭補強筋８０として使用できるようになり，杭頭補強筋として使用する鉄筋として細径のものの使用や，杭頭補強筋の取り付け本数を減少させることができることから，過密配筋を回避して工期の短縮を図ることができると共に，前述した干渉がより生じ難いものとすることが可能である。
【符号の説明】
【００９５】
１  鉄筋籠
５  柱状構造物（基礎杭）
６  中空空間
７  開口縁
１０  吊鉄筋
１０ａ  垂直部（吊鉄筋の）
１０ｂ  水平部（吊鉄筋の）
２０  ガイド体
２１  外側ガイド体
２２  内側ガイド体
２２ａ，２２ｂ  フープ筋
２２ｃ  軟質金属
２３，２３’  連結鉄筋
２３ａ  交点（連結鉄筋２３の）
２４  ガイドレール
２４’  取付台
２５  カプラー
２５ａ，２５ｂ  係止爪
２６  開口部（カプラー２５の）
２７  アングル材
２７ａ  挿入孔
２８  アタッチメント
２８ａ  矩形板
２８ｂ  係止棒（上側）
２８ｃ  係止棒（下側）
２９  ボルト
３０  底部側拘束体
３１  下端側フープ筋
３１’  下端側フープ板
３２  底板
３３  アングル材
４０  フープ筋
４１  外側フープ筋
４２  内側フープ筋
５０  ずれ止め
８０  補強用縦筋（杭頭補強筋）
８１，８２  平面
１００  鉄筋籠
１０５  杭
１０６  中空空間
１１０  縦筋（杭頭補強筋）
１６０  スパイラルフープ
２００  鉄筋籠
２１０  固定縦筋
２２０  可動縦筋
２３０  中間フープ
２３１  下端側フープ
２３２  底板
２６０  スパイラル筋
２８０  スライダ
２８１  ねじ孔  
【図１】
2019082103.tif 000003
【図２】
2019082103.tif 000004
【図３】
2019082103.tif 000005
【図４】
2019082103.tif 000006
【図５】
2019082103.tif 000007
【図６】
2019082103.tif 000008
【図７】
2019082103.tif 000009
【図８】
2019082103.tif 000010
【図９】
2019082103.tif 000011
【図１０】
2019082103.tif 000012
【図１１】
2019082103.tif 000013